(57)【要約】【課題】  熟練を要しない簡易な作業により熨斗瓦の効率的かつ精度よい積層が行われ、工期の短縮化、軽量化、強度の向上等を図る【解決手段】  耐候性や耐久性を有する金属板素材にプレス加工を施して一体に形成し、取付板部１３と、その両側縁部に沿って折曲形成された左右一対の熨斗瓦支持板部１４Ｌ、１４Ｒと、これら熨斗瓦支持板部１４の先端部に形成された立壁部１８と受け部１９からなる補強リブ部１５とから構成され、取付板部１３を棟木６上に固定するとともに熨斗瓦支持板部１４上に熨斗瓦３を並べて取り付ける。【選択図】  図１
2010216124.tif 000002
【特許請求の範囲】
【請求項１】
耐候性や耐久性を有する金属板素材にプレス加工を施して一体に形成され、矩形板状部位からなり長さ方向に並んで複数個の固定孔が所定の間隔を以って穿孔された取付板部と、この取付板部の長さ方向の両側縁部に沿って所定の折曲角度を付して連設された矩形板状部位からなり長さ方向に並んで複数個の熨斗瓦取付孔が所定の間隔を以って穿孔された左右一対の熨斗瓦支持板部と、これら熨斗瓦支持板部の上記取付板部と対向する長さ方向の両側縁部に沿ってそれぞれ連続して折曲加工を施すことにより少なくとも所定の高さの立壁部と所定の幅を有する受け部からなる左右一対の補強リブ部とから構成され、
上記取付板部を上記棟木上に被せて左右の上記補強リブ部の上記受け部をそれぞれ最上段に葺いた左右の桟瓦上に載せて上記熨斗瓦支持板部により上記桟瓦をそれぞれ被覆した状態で設置し、上記固定孔を介して固定手段により上記棟木に固定するとともに上記熨斗瓦支持板部上に複数枚の上記熨斗瓦を長さ方向に並べて取り付けることを特徴とする熨斗瓦積層支持体。
【請求項２】
上記金属板素材は、溶融アルミニウム−亜鉛合金めっき鋼板であることを特徴とする請求項１に記載の熨斗瓦積層支持体。
【請求項３】
上記熨斗瓦支持板部は、上記取付板部に対して、屋根の傾斜角度とほぼ等しい傾斜角度を付されて一体に連設されることを特徴とする請求項１又は請求項２のいずれか１項に記載の熨斗瓦積層支持体。
【請求項４】
長さ方向の複数箇所に、複数の補強手段を設けたことを特徴とする請求項１乃至請求項３のいずれか１項に記載の熨斗瓦積層支持体。
【請求項５】
上記補強手段は、耐候性や耐久性を有する金属板素材にプレス加工を施して全体略矩形板状に形成された複数個の補強部材により構成され、
それぞれが中央部位を上記取付板部の内面に固定されるとともに、両側部位を上記熨斗瓦支持板部の内面に倣って上記補強リブ部に導かれて固定されることを特徴とする請求項４に記載の熨斗瓦積層支持体。
【請求項６】
棟木を挟んで最上段に葺いた左右の桟瓦間にそれぞれ所定枚数の熨斗瓦を積層するとともに、互いに向き合う最上層に積層した左右の熨斗瓦間に跨って棟瓦を積層してなる瓦葺き屋根の棟構造であり、
耐候性や耐久性を有する金属板素材にプレス加工を施して一体に形成され、矩形板状部位からなり長さ方向に並んで複数個の固定孔が所定の間隔を以って穿孔された取付板部と、この取付板部の長さ方向の両側縁部に沿って所定の折曲角度を付して連設された矩形板状部位からなり長さ方向に並んで複数個の熨斗瓦取付孔が所定の間隔を以って穿孔された左右一対の熨斗瓦支持板部と、これら熨斗瓦支持板部の上記取付板部と対向する長さ方向の両側縁部に沿ってそれぞれ連続して折曲加工を施すことにより少なくとも所定の高さの立壁部と所定の幅を有する受け部からなる左右一対の補強リブ部とから構成された熨斗瓦積層支持体が、上記熨斗瓦の積層段数と同数が用いられ、
第１層において、多数個の第１層熨斗瓦積層支持体が、上記棟木に対してそれぞれの上記取付板部を被せるとともにそれぞれの上記受け部を最上段に葺いた左右の上記桟瓦に対してその上面に突き当てて組み合わせることにより、それぞれの上記熨斗瓦支持板部が上記桟瓦の上方部位を被覆した状態にして長さ方向に並べて設置され、それぞれが上記固定孔を介して固定手段により棟木上に固定され、
上記第１層熨斗瓦積層支持体に対して、左右の上記熨斗瓦支持板部上にそれぞれ第１層熨斗瓦を長さ方向に並べて載置するとともに、これら第１層熨斗瓦を上記熨斗瓦取付孔を介して取付手段によりそれぞれ取り付けて第１層構造体を施工し、
第２層において、上記第１層熨斗瓦積層支持体の上記取付板部を挟んで上記棟木上に支持材を固定し、
多数個の第２層熨斗瓦積層支持体が、上記支持材に対してそれぞれの上記取付板部を被せるとともにそれぞれの上記受け部を上記第１層熨斗瓦の上面に突き当てて組み合わせることにより、それぞれの上記熨斗瓦支持板部が上記第１層熨斗瓦を被覆した状態にして長さ方向に並べて設置され、それぞれが上記固定孔を介して固定手段により上記支持材上に固定され、
上記第２層熨斗瓦積層支持体に対して、左右の上記熨斗瓦支持板部上にそれぞれ第２層熨斗瓦を長さ方向に並べて載置するとともに、これら第２層熨斗瓦を上記熨斗瓦取付孔を介して取付手段によりそれぞれ取り付けて第２層構造体を施工し、
以下、上層において、下層構造体上に、それぞれ上層支持材と上層熨斗瓦積層支持体と上層熨斗瓦とからなる同等構造の上層構造体が所定層数に積層して施工され、
互いに向き合う最上層熨斗瓦間に跨って棟瓦を積層してなる瓦葺き屋根の棟構造。
【請求項７】
上記熨斗瓦積層支持体に対して、それぞれ長さ方向の複数箇所に、複数の補強手段を設けたことを特徴とする請求項６に記載の瓦葺き屋根の棟構造。
【請求項８】
上記第１層構造体は、上記棟木上に固定された面斗支持体と、この面斗支持体に組み付けられて最上段に葺いた左右の上記桟瓦の谷部の上面にそれぞれ突き当てて組み合わされる面斗体からなる面斗構造体を介して上記棟木上に施工される請求項６又は請求項７のいずれか１項に記載の瓦葺き屋根の棟構造。
【発明の詳細な説明】
【技術分野】
【０００１】
本発明は、瓦葺き家屋の棟構造において、棟木を挟んで多数枚の熨斗瓦を並べて固定するとともに多層に段組する熨斗瓦支持体及びこの熨斗瓦支持体を用いて棟構造に用いて熨斗瓦を所定層に積層してなる棟構造に関する。
【背景技術】
【０００２】
瓦葺き家屋においては、一般に母屋上に組み合わせた垂木に野地板を敷き込み、この野地板上に所定の間隔を以って桟木を固定して構成した屋根面上に軒先側から順次桟瓦等を葺いてそれぞれ桟木に固定する。瓦葺き家屋においては、最上部の桟瓦が突き合わされる棟部位において、棟木に対して面斗瓦や複数段の熨斗瓦を漆喰やモルタル等により固めるとともに銅線やステンレス釘等により固定し、最上段の熨斗瓦間を覆って棟瓦を被せて固定することにより棟構造が施工される。
【０００３】
棟構造は、上述したように棟木を挟んだ両側の領域に漆喰等を介して多数の熨斗瓦を長さ方向に並べて多数段に積み上げて構成され、地震や強風に対する屋根の耐性を高め或いは棟部位からの雨漏り防止等の機能を奏するとともに家屋の見栄えや格調を高める重要な部位である。棟構造においては、多数枚の熨斗瓦を上下左右に歪み無く精密に積み上げなければならず熟練を積んだ職人によっても時間と手間がかかる施工となる。また、棟構造においては、漆喰等を用いる湿式工法であることから、漆喰が乾いて固まるまでの時間を必要として工期が長くなるといった問題があった。さらに、棟構造においては、段数が多くなるにしたがって大量の漆喰等を用いるために重量が大きくなる。
【０００４】
棟構造においては、上述した湿式工法の問題を可決する種々の工法が提案されている。特許文献１には、棟木に所要の間隔を以って立設したネジ棒からなる支持体と、この支持体にねじ止めされる格段の支持部材と、熨斗瓦を並べて固定する受支板とから構成され、桟瓦の突き合わせ部位に跨って盛り上げた台面を構成する漆喰上に組み上げて構成する棟構造が記載されている。また、特許文献２には、棟瓦を野地板に固定するための棟垂木と棟補強金具の機能を一体化することにより施工性の向上や軽量化等を図る棟瓦支持材が記載されている。
【先行技術文献】
【特許文献】
【０００５】
【特許文献１】特許第２６１２５４８号公報
【特許文献２】特開２００３−２７８３２２号公報
【発明の概要】
【発明が解決しようとする課題】
【０００６】
特許文献１には、各層の熨斗瓦を受支板上に並べて積層することにより作業を簡略化して棟積み施工の能率化を図り、熟練を要せずとも熨斗瓦を歪みなくかつ位置ずれなく積層して、安定性よく支持することが可能であると記載されている。ところで、かかる特許文献１においては、各層の受支板が幅方向の中央部位をブロック状の支持部材に固定され、下方に向かって傾斜された両側部位上に熨斗瓦を並べて固定する構造である。
【０００７】
特許文献１においては、各熨斗瓦の下端側が浮いた構造となり、屋根面に沿って吹き上がってくる強風により熨斗瓦が煽られることにより種々の問題が発生する虞がある。特許文献１においては、棟木からの支持体の脱落、受支板の変形等により棟の変形や破損等が発生し、また吹き込んだ雨水により台面の漆喰が流出する等の虞がある。特許文献１においては、湿式工法との比較において作業の大幅な簡略化が図られるが、棟木に対して支持体を位置決めしながら打ち込むとともに、各支持体を取付孔に貫通させて支持部材と受支板を組み付ける手間のかかる作業が必要となる。
【０００８】
一方、特許文献２においては、構成部材の削減と単純構造化による効率化や工期の短縮化、或いは棟勾配の相違に対する互換性、コスト低減等が図られるとの記載がある。しかしながら、かかる特許文献２は、棟部位において棟瓦のみを設置する１層構造の棟構造に適用されるものであり、熨斗瓦を多数段に積層してある程度の高さに構成する棟構造に適用されるものでは無い。
【０００９】
したがって、本発明は、熨斗瓦を多数段に積層してなる瓦葺き家屋の棟構造において、熟練を要しない簡易な作業により熨斗瓦の効率的かつ精度よい積層が行われ、工期の短縮化、軽量化、強度の向上等を図ることを可能とする熨斗瓦支持体を提供することを目的とする。
【００１０】
また、本発明は、熨斗瓦を多数段に積層してなる瓦葺き家屋の棟構造であり、熟練を要せず簡易な作業により熨斗瓦を効率的かつ精度よく積層して工期の短縮化、軽量化或いは強度の向上等を図ることを目的とする。
【課題を解決するための手段】
【００１１】
上述した目的を達成する本発明にかかる熨斗瓦支持体は、耐候性や耐久性を有する金属板素材にプレス加工を施して、取付板部と、左右一対の熨斗瓦支持板部と、左右一対の補強リブ部とが一体に形成された略チャンネル状の部材からなる。熨斗瓦支持体は、取付板部が、矩形板状部位からなり、長さ方向に並んで複数個の固定孔が所定の間隔を以って穿孔されてなる。熨斗瓦支持体は、左右同形の熨斗瓦支持板部が、取付板部の長さ方向の両側縁部に沿って傾斜した状態で一体に連設された矩形板状部位からなり、取付板部との連設部の近傍に位置して長さ方向に並んで複数個の熨斗瓦取付孔が所定の間隔を以って穿孔されてなる。熨斗瓦支持体は、左右同形の補強リブ部が、熨斗瓦支持板部の取付板部と対向する長さ方向の両側縁部に沿ってそれぞれ連続して折曲加工を施すことにより、少なくとも断面が略Ｌ字状を呈して連設された立壁部と受け部からなる。
【００１２】
本発明にかかる熨斗瓦支持体は、それぞれが棟木に対して取付板部を被せて左右の補強リブ部の受け部をそれぞれ最上段に葺いた左右の桟瓦上に載せ、熨斗瓦支持板部によって桟瓦の上方部位をそれぞれ被覆した状態で、棟木の長さ方向に沿って順次設置される。熨斗瓦支持体は、取付板部が棟木に対して、固定孔から打ち込んだ釘やボルト或いは固定孔に嵌挿した銅線等の固定手段によって固定される。熨斗瓦支持体には、左右の熨斗瓦支持板部上に、熨斗瓦が長さ方向に並んで順次載置されるとともに、各熨斗瓦を熨斗瓦取付孔から打ち込んだ釘やボルト或いは熨斗瓦取付孔に嵌挿した銅線等の取付手段により取り付ける。
【００１３】
熨斗瓦支持体においては、熨斗瓦支持板部の両側縁部に沿って断面略Ｌ字状に折曲した補強リブ部を一体に形成した機械的強度の大きな構造であることから、熨斗瓦を強固に取り付けるとともに軽量化が図られるようにする。熨斗瓦支持体においては、漆喰等を用いて熨斗瓦を積層固定する従来の一般的な湿式工法との比較において、熟練を要しない簡易な作業によって左右の熨斗瓦を順序よく積層して仕上がり精度の高い棟構造の施工を可能とし、漆喰の乾燥工程を不要として工期の短縮化を図り、軽量化を図った棟構造の施工を可能とする。熨斗瓦支持体においては、熨斗瓦を適宜の段数に積層した棟構造の簡易な作業により施工可能とする。
【００１４】
また、上述した目的を達成する本発明にかかる瓦葺き家屋の棟構造は、棟木を挟んで最上段に葺いた左右の桟瓦間にそれぞれ所定枚数の熨斗瓦を積層するとともに、互いに向き合う最上層に積層した左右の熨斗瓦間に跨って棟瓦を積層してなる。棟構造には、耐候性や耐久性を有する金属板素材にプレス加工を施して一体に形成された熨斗瓦の積層段数と同数の熨斗瓦積層支持体が用いられる。棟構造は、熨斗瓦積層支持体が、矩形板状部位からなり長さ方向に並んで複数個の固定孔が所定の間隔を以って穿孔された取付板部と、この取付板部の長さ方向の両側縁部に沿ってそれぞれ屋根の傾斜角度とほぼ等しい傾斜角度を付されて一体に連設された傾斜した矩形板状部位からなり連設部の近傍に位置して長さ方向に並んで複数個の熨斗瓦取付孔が所定の間隔を以って穿孔された左右一対の熨斗瓦支持板部と、これら熨斗瓦支持板部の取付板部と対向する長さ方向の両側縁部に沿ってそれぞれ連続して折曲加工を施すことにより少なくとも立壁部と受け部を連設した断面が略Ｌ字状部位からなる左右一対の補強リブ部とから構成される。
【００１５】
瓦葺き家屋の棟構造は、第１層において、多数個の第１層熨斗瓦積層支持体が、それぞれ棟木に対して取付板部を被せ、受け部を最上段に葺いた左右の桟瓦に対してその上面にそれぞれ突き当てて組み合わせることにより、熨斗瓦支持板部が桟瓦の上方部位をそれぞれ被覆した状態にして長さ方向に並べて設置され、それぞれが固定孔を介して固定手段により棟木上に固定される。棟構造は、第１層熨斗瓦積層支持体に対して、左右の熨斗瓦支持板部上にそれぞれ熨斗瓦を長さ方向に並べて載置するとともに、これら熨斗瓦を熨斗瓦取付孔を介して取付手段によりそれぞれ取り付けて第１層構造体を施工する。
【００１６】
瓦葺き家屋の棟構造は、上述した第１層構造体に対して、第１層熨斗瓦積層支持体の取付板部を挟んで棟木上に第１層支持材を固定する。棟構造は、第２層において、第２層熨斗瓦積層支持体が、取付板部を第１層支持材上に被せ、受け部を第１層熨斗瓦の上面にそれぞれ突き当てて組み合わせることにより、熨斗瓦支持板部が第１層熨斗瓦をそれぞれ被覆した状態にして固定孔を介して固定手段により第１層支持材上に固定される。棟構造は、第２層熨斗瓦積層支持体に対して、左右の熨斗瓦支持板部上にそれぞれ熨斗瓦を長さ方向に並べて載置するとともに、これら熨斗瓦を熨斗瓦取付孔を介して取付手段によりそれぞれ取り付けて第２層構造体を施工する。
【００１７】
瓦葺き家屋の棟構造は、上述した第２層構造体上に、それぞれ支持材と熨斗瓦積層支持体と熨斗瓦とを組み合わせた同等構造の上層構造体を所定層数に積層して施工する。棟構造は、最上層の構造体上に、互いに向き合う最上層の熨斗瓦間に跨って棟瓦を積層し、この棟瓦を最上層の支持材に固定して完成される。
【００１８】
本発明にかかる瓦葺き家屋の棟構造においては、熨斗瓦支持板部の両側縁部に沿って断面略Ｌ字状に折曲した補強リブ部を一体に形成した機械的強度の大きな構造の熨斗瓦支持体を用いることにより、熨斗瓦を強固に固定するとともに軽量化が図られる。棟構造においては、漆喰等を用いて熨斗瓦を積層固定する従来の一般的な湿式工法との比較において、熟練を要しない簡易な作業による施工を可能とし、漆喰の乾燥工程を不要として工期の短縮化を図り、軽量化を図った棟構造の施工を可能とする。
【発明の効果】
【００１９】
本発明にかかる熨斗瓦支持体は、取付板部と、その両側縁部に沿って折曲形成された左右一対の熨斗瓦支持板部と、これら熨斗瓦支持板部の先端部に形成された立壁部と受け部からなる補強リブ部とから構成され、取付板部を棟木に固定するとともに熨斗瓦支持板部上に熨斗瓦を並べて取り付ける。熨斗瓦支持体においては、熟練を要しない簡易な作業により、熨斗瓦を適宜の段数に積層しかつ左右の熨斗瓦を順序よく積層して仕上がり精度の向上を図った強固かつ軽量化を図った棟構造の施工を可能とする。
【００２０】
また、本発明にかかる瓦葺き家屋の棟構造においては、取付板部と、その両側縁部に沿って折曲形成された左右一対の熨斗瓦支持板部と、これら熨斗瓦支持板部の先端部に形成された立壁部と受け部からなる補強リブ部とから構成され、取付板部を棟木に固定するとともに熨斗瓦支持板部上に熨斗瓦を並べて取り付ける熨斗瓦支持体を用いて、熨斗瓦を所定の段数に積層して構成する。棟構造においては、熟練を要しない簡易な作業により、熨斗瓦を適宜の段数に積層しかつ左右の熨斗瓦を順序よく積層して仕上がり精度の向上が図られ、強固かつ軽量化が図られる。
【図面の簡単な説明】
【００２１】
【図１】本発明の実施の形態として示す瓦葺き家屋の棟構造の要部断面図である。
【図２】同棟構造の要部斜視図である。
【図３】本発明の実施の形態として示す熨斗瓦支持体であり、同図（Ａ）は一部切欠き斜視図、同図(B)は断面図である。
【図４】瓦葺き家屋の棟構造の施工工程の説明図であり、棟木への面斗構造体の取付工程を示す。
【図５】同棟構造の施工工程の説明図であり、第１層熨斗瓦支持体の取付工程を示す。
【図６】同第１層施工工程の説明図であり、第１層熨斗瓦の取付工程を示す。
【図７】同棟構造の施工工程の説明図であり、棟瓦の取付工程を示す。
【図８】本発明の他の実施の形態として示す瓦葺き家屋の棟構造の要部断面図である。
【図９】本発明の他の実施の形態として示す熨斗瓦支持体の説明図である。
【図１０】本発明の他の実施の形態として示す補強付き熨斗瓦支持体であり、同図（Ａ）は一部切欠き斜視図、同図(B)は断面図である。
【発明を実施するための形態】
【００２２】
以下、本発明の実施の形態について図面を参照して詳細に説明する。実施の形態として示す瓦葺き家屋の棟構造１は、詳細を後述する熨斗瓦積層支持体（以下、支持体と略称する。）２を用いて、例えば切妻屋根や寄棟屋根或いは入母屋屋根等の水平な主棟（大棟）に適用される。棟構造１は、棟を挟んだ左右領域Ｌ、Ｒに支持体２を介してそれぞれ多数枚の熨斗瓦３Ｌ、３Ｒ（以下、個別に説明する場合を除いて熨斗瓦３と総称する。）を棟方向に並べて取り付けてなる層構造体４を構成し、この層構造体４を３段に積層する。棟構造１は、最上段の第３層構造体４Ｃ上に、熨斗瓦３Ｌ、３Ｒに跨って棟瓦（冠瓦）５を重ねて固定する。
【００２３】
なお、棟構造１は、主棟の適用例に限定されず、例えば寄棟屋根や入母屋屋根等の隅棟等にも適用されることは勿論であり、また層構造体４を１段以上の適宜の段数に積層した構造であってもよい。棟構造１は、棟部位を挟んだ両側領域に同等の部材が組み合わされることから、以下の説明において特に個別に説明する必要がある場合に上述した「熨斗瓦３Ｌ、３Ｒ」の表現のように左側領域の部材に符号Ｌを右側領域の部材に符号Ｒを付記するものとする。
【００２４】
瓦葺き家屋は、周知のように小屋の頂点部に水平方向に設置した棟木６と、この棟木６と平行でかつ勾配を付して設置した母屋により横木組を構成し、この横木組に対して勾配に沿って垂木を架け渡し設置し、これら垂木上に野地板７を敷き込んで図１及び図２に示す屋根面を構成する。瓦葺き家屋は、野地板７上に防水紙を敷き込むとともに、所定の間隔を以って棟木６と平行に多数本の桟木８を設置し、これら桟木８を介して屋根面上の所定箇所に適応した各種の瓦を固定する。瓦葺き家屋は、最下位置となる軒先部位には軒瓦を固定するとともに、両側の袖部位には裾垂れを揺する袖瓦３０を固定した状態で、平部位に桟瓦９が葺かれる。
【００２５】
桟瓦９は、詳細を省略するが、図２に示すように断面が略波形に形成され、それぞれ頭側を下方の桟瓦や軒瓦の尻上に重ね合わせるとともに、凸部である桟を隣り合う桟瓦や袖瓦の側方部の差し込み上に重ね合わせ、尻側に設けた固定用孔を介して打ち込む例えばステンレスネジ、ステンレス釘或いは引き出した銅線等の固定用部材により桟木８に固定される。なお、軒瓦や袖瓦も、同様の固定用部材により桟木８に固定される。
【００２６】
瓦葺き家屋は、図１及び図２に示すように、主棟において、最上部に葺かれた左右の桟瓦９ＵＬ、９ＵＲ及び外側の袖瓦３０ＵＬ、３０ＵＲが棟木６を挟んで互いの尻を対向させて桟木８に固定される。瓦葺き家屋においては、後述する層構造体４が左右の桟瓦９ＵＬ、９ＵＲや袖瓦３０ＵＬ、３０ＵＲを跨いで積層されるとともに最上段に棟瓦５が設置されて棟部位を閉塞する棟構造１を施工する。棟構造１は、第１層構造体４Ａと棟木６との間に詳細を後述する一対の面斗体１０Ｌ、１０Ｒ（以下、個別に説明する場合を除いて面斗体１０と総称する。）を有する面斗構造体１１を設置し、面斗体１０により熨斗瓦３と桟瓦９ＵＬ、９ＵＲの谷部位を閉塞する。なお、以下の説明において、桟瓦９と袖瓦３０を同一とみなし、桟瓦９と構成部材との構成について説明する。
【００２７】
上述した構成の瓦葺き家屋は、層構造体４や面斗構造体１１を有する棟構造１を除いて基本的な構成を従来の瓦葺き家屋と同様とする。瓦葺き家屋は、伝統的な和瓦を用いた仕様の家屋について説明するが、洋瓦等を用いて棟構造を施工する仕様の家屋にも適用されることは勿論である。棟構造１には、層構造体４に用いる熨斗瓦３が従来と同等の熨斗瓦が用いられる。棟構造１は、以下に説明する熨斗瓦３に限定されず、屋根構造に応じて従来用いられている様々な熨斗瓦を用いることが可能である。
【００２８】
棟構造１は、上述したように支持体２を用いて多数枚の熨斗瓦３を、棟木６を挟みかつ長さ方向に並べて固定した１層分の層構造体４を構成するとともに、この層構造体４を多層に積層してなる。棟構造１は、詳細には台面となる第１層構造体４Ａの施工が、面斗構造体１１を設置した棟木６上において行われる。棟構造１は、後述するように第１層構造体４Ａが、棟木６を挟んで屋根面に葺かれた桟瓦９ＵＬ、９ＵＲを跨ぐ面斗構造体１１上に固定した第１層支持材１２Ａを介して棟木６に固定される。棟構造１は、第２層構造体４Ｂと第３層構造体４Ｃが、それぞれ下層側の第２層支持材１２Ｂと第３層支持材１２Ｃを介して棟木６に固定される。棟構造１は、第３層構造体４Ｃ上に棟瓦５が固定される。なお、第１層支持材１２Ａ〜第３層構造体４Ｃは、ほぼ同一の部材であるから、個別に説明する場合を除いて支持材１２と総称する。
【００２９】
支持体２は、耐候性や耐久性或いは加工性等を有する金属板素材、例えば屋根材や外装材として提供されている所定の厚みを有する溶融アルミニウム−亜鉛合金めっき鋼板（ガリバニウム鋼板：登録商標）を素材とし、このガリバニウム鋼板に簡易なプレス加工を施して一体に形成される。支持体２は、ガリバニウム鋼板以外の素材として、例えば銅板やステンレス鋼板等の金属薄板を用いることも可能ではある。支持体２は、銅板が比較的高価であり、ステンレス鋼板も高価であるとともに重量も大きくかつ現場での切断等の加工も困難であることから、建築現場で汎用されているガリバニウム鋼板を素材とすることが好ましい。支持体２は、後述する構造により素材として薄厚のガリバニウム鋼板を用いて形成しても大きな機械的強度を有しており、軽量化を図って強固な棟構造１を構築することが可能である。
【００３０】
支持体２は、図３に示すように、取付板部１３と、この取付板部１３の長さ方向の両側縁部に沿って連設された左右一対の熨斗瓦支持板部１４Ｌ、１４Ｒ（以下、個別に説明する場合を除いて支持板部１４と総称する。）と、これら支持板部１４の先端部に沿って連設された左右一対の補強リブ部１５Ｌ、１５Ｒ（以下、個別に説明する場合を除いて補強リブ部１５と総称する。）とから構成された断面が下向き略コ字状を呈する長尺のチャンネル状部材からなる。支持体２は、取付板部１３の両側に、支持板部１４と補強リブ部１５が左右対称形状を以って形成され、後述する棟構造１の施工に際して左右の向きを合わせる等の作業を不要とする。
【００３１】
支持体２は、例えば支持板部１４上にそれぞれ６〜７枚の熨斗瓦３を長さ方向に並べて取り付けるに足る長さを有している。支持体２は、後述するように主棟の長さに応じて多数個が棟木６や支持材１２上に長さ方向に並べて固定され、現場対応により両側に設置されたものが適宜の長さに切断されて調整される。
【００３２】
支持体２は、取付板部１３が、棟木６と略同幅若しくはやや大きな幅を有する矩形板状部位からなり長さ方向に並んで複数個の固定孔１６が所定の間隔を以って穿孔される。支持体２は、支持板部１４が、取付板部１３の長さ方向の両側縁部に沿って、屋根面の勾配とほぼ等しい角度に折曲されて連設された先端下がりの矩形板状の部位からなる。支持体２は、取付板部１３と左右の支持板部１４Ｌ、１４Ｒとの全体の幅が、棟木６を挟んで最上段の桟瓦９ＵＬ、９ＵＲが対向する棟部の間隔よりも大きく形成される。支持体２は、後述するように棟木６に取り付けた状態で、支持板部１４Ｌ、１４Ｒが桟瓦９ＵＬ、９ＵＲの上方部位に被さるに足る幅に形成される。
【００３３】
支持板部１４は、熨斗瓦３の幅と略同幅であり、取付板部１３からの連設部の近傍に位置して長さ方向に並んで熨斗瓦３の取付用孔３Ｂと相対して複数個の熨斗瓦取付孔１７が穿孔されている。支持板部１４は、隣り合う熨斗瓦取付孔１７を、例えば熨斗瓦３の長さ寸法の略１／２の間隔を以って穿孔する。なお、支持体２は、図３において取付板部１３の固定孔１６が支持板部１４の熨斗瓦取付孔１７に相対して形成されるように図示されるが、かかる構成に限定されないことは勿論である。
【００３４】
支持体２は、補強リブ部１５が、支持板部１４の取付板部１３と対向する長さ方向の両側縁部に沿ってそれぞれ全長に亘って連続して折曲加工を施すことにより、図３に示すように断面が略コ字状を呈して連設される立壁部１８と、受け部１９と、補強壁部２０とから構成される。補強リブ部１５は、立壁部１８が、支持板部１４の側縁部から略直交して折曲形成され、熨斗瓦３の先端部に折曲形成される剣垂れ３Ａの高さと略同一の高さを有している。
【００３５】
補強リブ部１５は、受け部１９が、立壁部１８の下端部に沿って内方へと略直交して折曲形成される。受け部１９は、棟構造１において、後述するように第１層構造体４Ａの支持体２では棟木６に沿って葺かれた最上段の桟瓦９ＵＬ、９ＵＲの桟部上に跨って突き当てられ、第２層構造体４Ｂや第３層構造体４Ｃの支持体２では下層側の熨斗瓦３上に跨って突き当てられる。受け部１９は、所定の幅を有して形成されることにより、下層側の桟瓦９ＵＬ、９ＵＲや下層側の熨斗瓦３に対して安定した姿勢での突き当てが行われて歪み等の発生を低減し、また部位に応力が集中してこれら部材の突き当て部位に破損が生じないようにする。
【００３６】
補強リブ部１５は、補強壁部２０が、受け部１９の先端部に沿って上方へと略直交して折曲形成される。補強壁部２０は、受け部１９の機械的強度を大きくして変形等の発生を低減する。なお、補強リブ部１５は、立壁部１８と受け部１９と補強壁部２０とが連設された全体が断面略コ字状の部位として形成したが、かかる形状に限定されないことは勿論である。補強リブ部１５は、加工効率がやや低下するが、例えば所定の外径を有するカール状に形成してもよく、また受け部１９にさほど大きな荷重が付加されない場合には立壁部１８と受け部１９からなる断面略Ｌ字状に形成してもよく、さらに受け部１９に長さ方向のリブを形成することにより機械的強度を大きくするようにしてもよい。
【００３７】
支持体２は、後述するように支持板部１４を相対する桟瓦９ＵＬ、９ＵＲの上方部位に対向させ、取付板部１３を棟木６或いは支持材１２上に設置する。支持体２は、固定孔１６から例えばステンレス釘２１を打ち込むことにより、取付板部１３を棟木６或いは支持材１２上に固定する。支持体２には、支持板部１４Ｌ、１４Ｒ上にそれぞれ所定枚数の熨斗瓦３Ｌ、３Ｒが長さ方向に並べられて取り付けられる。支持体２は、図１及び図２に示すように各層において、熨斗瓦３を相対する上下段で積層位置を長さ方向に１／２ずらして積層する、いわゆる長手積みの形態で積層する。
【００３８】
熨斗瓦３は、周知のように横長矩形の平板形状を基本形態に形成され、積層段に応じて適宜の幅に破断されて積層される。熨斗瓦３には、詳細を省略するが下方側の側縁部に沿って積層高さの規定や強度向上等を図る剣垂れ３Ａが形成されるとともに、長さ方向の一端側近傍に位置して取付用孔３Ｂが形成される。熨斗瓦３は、所定の幅に破断した上方側の側縁部を、図１に示すように支持材１２と対向させて支持体２の支持板部１４上に並べられ、取付用孔３Ｂを介して相対する熨斗瓦取付孔１７にステンレス釘２１を打ち込んで支持板部１４上に固定される。
【００３９】
熨斗瓦３は、図１に示すように支持体２に対して、下方側の剣垂れ３Ａが補強リブ部１５の立壁部１８に延在するようにして所定幅に破断される。熨斗瓦３は、上述したように剣垂れ３Ａと立壁部１８が略同一の高さに形成されることにより、この剣垂れ３Ａの下端縁が補強リブ部１５の受け部１９とともに下層側の桟瓦９ＵＬ、９ＵＲや下層側の熨斗瓦３の上面に突き当てられる。熨斗瓦３は、上述したように支持体２を介して互いに位置決めされて、棟木６を挟んだ両側に位置して整列された状態で設置される。
【００４０】
層構造体４は、上述した支持体２に対して、左右の支持板部１４Ｌ、１４Ｒ上にそれぞれ所定枚数の熨斗瓦３Ｌ、３Ｒが長さ方向の側縁部を対向させて取り付けることにより、構成する。層構造体４は、支持体２が、取付板部１３を棟木６或いは支持材１２上に固定した状態で、支持板部１４が桟瓦９の上方部位を覆い或いは下層の熨斗瓦３を覆って延在する。層構造体４は、支持体２の支持板部１４に対して熨斗瓦３が、熨斗瓦取付孔１７に取付用孔３Ｂを位置合わせし、補強リブ部１５の立壁部１８に沿って剣垂れ３Ａを当てがって載置される。層構造体４は、支持体２に対して熨斗瓦３が、取付用孔３Ｂにステンレス釘２１を打ち込んで支持板部１４上に位置決めされて取り付けられる。層構造体４は、以下同様の手順により支持体２に対して熨斗瓦３を取り付けて施工する。
【００４１】
面斗構造体１１は、図１及び図４に示すように、取付板２２と、この取付板２２の両側に固定された面斗体１０Ｌ、１０Ｒとから構成される。面斗構造体１１は、取付板２２が、支持体２と同様に素材としてガリバニウム鋼板が用いられ、プレス加工を施して桟瓦９ＵＬ、９ＵＲの対向間隔よりもやや大きい長さを有する板状部材に形成されてなる。取付板２２は、固定用孔２２Ａを形成した中央部位を頂点として両側部位が次第に下がりとなるように長さ方向に対してやや大きな曲率でわん曲されて形成される。
【００４２】
面斗構造体１１は、面斗体１０も、素材としてガリバニウム鋼板が用いられ、プレス加工を施して熨斗瓦３の長さとほぼ等しい略横長矩形の板状部材に形成される。面斗体１０は、一端側を取付板２２の先端部と一体化されるとともに、他端側の側縁に沿ってそれぞれ面斗部２３Ｌ、２３Ｒ（以下、個別に説明する場合を除いて面斗部２３と総称する。）が一体に折曲形成される。面斗体１０は、面斗部２３が、図４に示すように桟瓦９の円弧形状に倣った円弧状の立壁部として形成され、さらに立壁部の頂点部が桟瓦９の谷とほぼ等しい高さに形成される。
【００４３】
面斗構造体１１は、棟木６に対してその上面に取付板２２を被せるようにして設置されて固定用孔２２Ａにステンレス釘２１が打ち込まれることにより、棟木６に固定される。面斗構造体１１は、棟木６に固定した状態でわん曲された取付板２２が弾性変形し、面斗体１０を桟瓦９上に押し当てる。面斗構造体１１は、隣り合う面斗体１０が、図５に示すように隣り合う桟瓦９の桟間に跨り、桟上において相対する長さ方向の端部を突き合わされる。面斗構造体１１は、面斗体１０の面斗部２３が桟瓦９の谷部位を塞ぎ、棟構造１の棟空間部２４内への風雨の侵入を阻止する。
【００４４】
なお、棟構造１においては、上述したようにガリバニウム鋼板を素材として取付板２２と面斗体１０とから構成した面斗構造体１１を棟木６に固定して各桟瓦９の谷部位を閉塞するようにしたが、かかる面斗構造体１１を用いる構造に限定されるものでは無い。面斗構造体１１は、棟木６を挟んで対向する左右の桟瓦９ＵＬ、９ＵＲ或いは袖瓦３０ＵＬ、３０ＵＲの１組毎に組み合わせるようにしたがかかる構造に限定されない。面斗構造体１１は、取付板２２に対して面斗部２３を有する複数の面斗体１０を連設して構成し、或いは面斗体１０に複数の面斗部２３を一体に形成して構成し、複数組の桟瓦９や袖瓦３０に組み合わせるようにしてもよい。
【００４５】
また、棟構造１においては、従来と同様に漆喰を用いて面瓦を棟部位に塗り込めて固定する面斗構造を採用してもよい。棟構造１は、漆喰の使用箇所が最下層の１箇所でありかつ層構造体４の積層工程にさほど影響を及ぼすことはなく、また重量がさほど大きくなることも無い。
【００４６】
棟構造１においては、図１及び図２に示すように第３層構造体４Ｃの棟木６を挟んで相対する熨斗瓦３ＵＬ、３ＵＲ上に跨って所定枚数の棟瓦５が長さ方向に並べられて位置決め設置されることにより、これら熨斗瓦３ＵＬ、３ＵＲ間に構成される長さ方向の棟空間部２４が全長に亘って閉塞される。棟瓦５は、周知のように両側端部がそれぞれ相対する熨斗瓦３ＵＬ、３ＵＲ上に跨る間隔を有する半円、半角筒状の瓦であり、一端側に小径の嵌合筒部２５を同心にして一体に突出形成するとともに他端側の内部にこの嵌合筒部２５が嵌合される嵌合凹部を形成してなる。棟瓦５には、嵌合筒部２５の頂点部に固定用孔５Ａが穿孔されるとともに嵌合凹部の頂点部にも固定用孔が穿孔される。
【００４７】
棟瓦５は、図１及び図２に示すように第３層構造体４Ｃの熨斗瓦３ＵＬ、３ＵＲに跨って設置され、その嵌合凹部に対して隣り合って設置される棟瓦５の嵌合筒部２５がはめ込まれて設置される。棟瓦５は、嵌合された嵌合凹部と嵌合筒部２５の固定用孔が連通するように位置合わせされる。棟瓦５は、固定用孔を位置合わせした状態で詳細を省略するパッキン付きステンレス釘２６が第４層支持材１２Ｄまで打ち込まれることにより、第３層構造体４Ｃ上に固定される。棟瓦５は、各層の構造体４を積層した状態で固定する。
【００４８】
支持材１２は、それぞれが所定の厚みを有する木製のブロック体からなり、対応する下層側の部材に対して長さ方向に沿って所定の間隔を以って載置されて固定される。なお、支持材１２は、ブロック体に限定されず、所定の長さを有する角材で構成してもよい。支持材１２は、第１層支持材１２Ａが面斗構造体１１を固定した棟木６上に固定され、第２層支持材１２Ｂが第１層構造体４Ａを固定した第１層支持材１２Ａ上に固定され、第３層支持材１２Ｃが第２層構造体４Ｂを固定した第２層支持材１２Ｂ上に固定され、第４層支持材１２Ｄが第３層構造体４Ｃを固定した第３層支持材１２Ｃ上に固定される。
【００４９】
以下、図４乃至図７を参照して棟構造１の施工手順について説明する。棟構造１の施工は、棟木６を挟んで左右の桟瓦９ＵＬ、９ＵＲ及び外側の袖瓦３０ＵＬ、３０ＵＲが対向された棟に対して、面斗構造体１１を設置する。面斗構造体１１は、取付板２２を棟木６上に跨がせるとともに面斗体１０の面斗部１０Ａを相対する桟瓦９（袖瓦３０を含む）の谷に突き合わせて設置される。面斗構造体１１は、固定用孔２２Ａから棟木６にステンレス釘２１を打ち込んで、取付板２２を棟木６上に固定する。面斗構造体１１は、面斗体１０の面斗部１０Ａにより桟瓦９の谷部位を塞いで風雨を遮断する。
【００５０】
棟構造１の施工は、図５に示すように面斗構造体１１を固定した棟木６上に、複数個の第１層支持材１２Ａを長さ方向に所定の間隔を以って固定する。棟構造１の施工は、第１層支持材１２Ａを取付部材として第１層支持体２を固定する工程と、この支持体２に対して多数枚の第１層熨斗瓦３を取り付ける工程とを施して第１層構造体４Ａを施工する。第１層構造体４Ａの施工は、同図に示すように、支持体２の支持板部１４を相対する桟瓦９ＵＬ、９ＵＲの上方部位に対向させ、取付板部１３を支持材１２上に設置して固定孔１６からステンレス釘２１を打ち込んで支持材１２Ａに固定する。支持体２は、この状態で補強リブ部１５の受け部１９が隣り合う桟瓦９の桟上に跨り、安定した状態に保持される。
【００５１】
第１層構造体４Ａの施工は、図６に示すように支持体２に対して、支持板部１４Ｌ、１４Ｒ上にそれぞれ第１層の熨斗瓦３Ｌ、３Ｒを位置決めした状態で並べて取り付ける。第１層構造体４Ａの施工は、熨斗瓦３を棟木６との間隔に応じて所定の幅に破断し、剣垂れ３Ａを立壁部１８の外面に当てがって支持板部１４上に載置し、取付用孔３Ｂに打ち込んだステンレス釘２１により支持体２上に位置決めする。第１層構造体４Ａの施工は、支持板部１４上において隣り合う熨斗瓦３の長さ方向の端部を互いに突き当てるように並べて取り付ける。第１層構造体４Ａの施工は、支持体２を介して棟木６を挟んで桟瓦９上に熨斗瓦３を積層する。
【００５２】
棟構造１の施工は、上述した工程を経て第１層構造体４Ａを施工した後に、支持体２の取付板部１３上に第２層支持材１２Ｂを固定し、この第２層支持材１２Ｂ上に第２層支持体２を固定する工程と、この支持体２に対して多数枚の第２層熨斗瓦３を並べて取り付ける工程とを施して第２層構造体４Ｂを施工する。第２層構造体４Ｂの施工においては、第２層熨斗瓦３を、上述したように第１層構造体４Ａの熨斗瓦３に対して、長さ方向に１／２ずらした状態で支持板部１４上に取り付ける。
【００５３】
棟構造１の施工は、第２層構造体４Ｂを施工した後に、同様にして支持体２の取付板部１３上に第３層支持材１２Ｃを固定し、この第２層支持材１２Ｃ上に第３層支持体２を固定する工程と、この支持体２に対して支持板部１４Ｌ、１４Ｒ上にそれぞれ多数枚の第３層熨斗瓦３ＵＬ、３ＵＲを長さ方向に並べて取り付ける工程とを施して第３層構造体４Ｃを施工する。第３層構造体４Ｃの施工においては、第３層熨斗瓦３ＵＬ、３ＵＲを、第１層構造体４Ａの熨斗瓦３と同じ位置で支持板部１４上に取り付ける。
【００５４】
棟構造１の施工は、第３層構造体４Ｃを施工した後に、図７に示すように支持体２の取付板部１３上に第４層支持材１２Ｄを固定し、この第４層支持材１２Ｄを取付部材として棟瓦５を積層する工程を施す。棟瓦５の積層工程は、第３層構造体４Ｃの熨斗瓦３ＵＬ、３ＵＲ上に跨って棟瓦５を設置し、隣り合う棟瓦５間において嵌合凹部と嵌合筒部２５の嵌合を行い、固定用孔からステンレス釘２６を打ち込むことにより第４層支持材１２Ｄに固定する。なお、棟構造１の施工においては、パッキン付きステンレス釘２６を用いて棟瓦５を固定することにより、固定用孔からの雨水の浸入を防止するようにしたが、例えばステンレス釘２６を打ち込んだ後に固定用孔を漆喰で塞ぐようにしてもよい。
【００５５】
棟構造１の施工は、上述したように棟木６や支持材１２に対して支持体２を固定する作業と、支持体２に対して熨斗瓦３を並べて取り付ける作業と、棟瓦５を固定する作業を主たる内容とする。棟構造１の施工においては、第１層構造体４Ａにおいて、補強リブ部１５の受け部１９が隣り合う桟瓦９の桟上に跨って延在することにより支持板部１４の屋根面との平行度が保持される。棟構造１の施工においては、支持板部１４上に多数枚の第１層熨斗瓦３を位置決めした状態で取り付けることで、これら第１層熨斗瓦３が互いに水平な状態に並べられかつ左右においてもバランスよく並べられる。
【００５６】
棟構造１の施工においては、正確に並べられた第１層熨斗瓦３に対して、その上面に第２層構造体４Ｂの受け部１９が突き当たって積層される。したがって、棟構造１の施工においては、第１層構造体４Ｂにおいても多数枚の第２層熨斗瓦３が互いに水平な状態に並べられかつ左右においてもバランスよく並べられるとともに、第１層熨斗瓦３に対してバランスよく積層される。棟構造１の施工においては、以下同様の構成により上層の熨斗瓦３が下層の熨斗瓦３に対してバランスよく積層される。
【００５７】
棟構造１の施工においては、上述した支持体２を用いる簡易な作業により、さほどの熟練を要せずとも仕上がり精度の高い棟構造１を効率よく施工することが可能である。棟構造１の施工においては、上述した支持体２を用いることにより、軽量化を図った強固な棟構造１を施工することが可能である。棟構造１の施工においては、段数仕様に対しての互換性も有し、従来極めて難易度が高かった多段の棟構造でも低段仕様と同等に施工することが可能である。
【００５８】
棟構造１は、上述した施工手順により完成されるが、かかる手順に限定されないことは勿論である。棟構造１は、上述したように面斗構造体１１に代えて面瓦と漆喰により面斗部位を施工するようにしてもよい。棟構造１は、特に必要の無い工程であるが、層構造体４の施工に際して、例えば防水下地層として上層の補強リブ部１５との対応部位に予め薄い漆喰層を形成するようにしてもよい。かかる防水下地層は、従来構造のように漆喰により熨斗瓦３を固定するためのものではないことから、漆喰を大量に使用することは無く、また補強リブ部１５により流れ止めされるために乾燥を待って上層の層構造体４の施工を行う必要も無い。
【００５９】
棟構造１は、上述したように比較的薄厚のガリバニウム鋼板を素材に用いて支持体２を形成し、この支持体２を介して熨斗瓦３を位置決めして取り付けた層構造体４を構成し、この層構造体４を積層して構成する。棟構造１は、図８に示すように急峻な角度を有する屋根の棟構造の施工にも、支持体２を共用して施工することが可能である。支持体２は、上述したように取付板部１３の両側縁部に沿って左右の支持板部１４Ｌ、１４Ｒが一体に折曲形成される。支持体２は、図９に示すように取付板部１３に対して支持板部１４の折曲角度θを適宜調整することにより、屋根の角度に応じた棟構造１の施工を可能とする。また、支持体２は、屋根の角度に係わらず折曲角度θを適宜調整することにより、熨斗瓦３の積層枚数が同枚であっても高さを異にする棟構造１の施工を可能とする。
【００６０】
支持体２は、取付板部１３に対する支持板部１４の折曲角度θがある程度の範囲において支持板部１４上に熨斗瓦３を保持することが可能である。支持体２は、急峻な角度で用いる場合には支持板部１４上の１箇所で熨斗瓦３を取り付けるようにしたが、それぞれに複数の熨斗瓦取付孔１７や取付用孔３Ｂを形成して複数カ所で取り付けるようにすることが好ましい。なお、支持体２は、上述したガリバニウム鋼板を素材とすることにより、現場対応において簡易な作業により支持板部１４の折曲角度θの調整或いは熨斗瓦取付孔１７の追加等の調整も容易に行うことが可能である。
【００６１】
棟構造１においては、上述したように支持体２により複数枚の熨斗瓦３を長さ方向に並べて支持した層構造体４を構成し、この層構造体４を多層に積層する簡易な作業により軽量かつ強固な構成を実現することが可能である。ところで、棟構造１においては、熨斗瓦３の積層段数が多くなるにしたがって、最下層の第１層構造体４Ａに対する上層側の層構造体４の重量が次第に大きな負荷となる。また、棟構造１においては、例えば強風地域或いは豪雪地域等では他の地域と比較して構造体４に対する負荷が大きい。
【００６２】
図１０に示した支持体４０は、上述した基材となる支持体２に対してその内面側に複数の補強部材４１を組み付けて構成したものである。支持体４０は、補強部材４１により支持体２のチャンネル形状が強固に保持するようにしてさらなる機械的強度の向上を図ることにより、強風や大きな負荷に対する大きな耐久特性を奏する棟構造１の施工を可能とする。支持体４０は、支持体２を用いた上述した棟構造１の施工と同等の施工手順により、棟構造１を施工する。
【００６３】
補強部材４１は、支持体２と同様に耐候性や耐久性を有するガリバニウム鋼板等の金属板素材が用いられ、この金属板素材にプレス加工を施して支持体２の幅寸法とほぼ同等の長さを有する矩形板状に形成される。補強部材４１は、図１０（Ｂ）に示すように中央部位の取付部４２と、この取付部４２の両側に折曲形成された左右一対の補強部４３Ｌ、４３Ｒ（以下、個別に説明する場合を除いて補強部４３と総称する。）と、補強部４３の先端部に形成された突当部４４Ｌ、４４Ｒ（以下、個別に説明する場合を除いて突当部４４と総称する。）とから断面が下向きコ字状を呈して形成される。
【００６４】
補強部材４１は、支持体２に対して、取付部４２が取付板部１３と対応し、補強部４３が支持板部１４と対応し、突当部４４が補強リブ部１５と対応する。補強部材４１は、取付部４２が取付板部１３の幅とほぼ等しい長さを有し、補強部４３が支持板部１４の幅とほぼ等しい長さを有し、突当部４４が補強リブ部１５の立壁部１８の高さとほぼ等しい長さを有している。補強部材４１は、補強部４３が取付部４２に対して、支持体２の取付板部１３に対する支持板部１４の折曲角度θとほぼ等しい角度で折曲されてなる。
【００６５】
支持体４０は、図１０に示すように補強部材４１が支持体２に対して、内面側において長さ方向に所定の間隔を以って組み付けられる。補強部材４１は、同図（Ｂ）に示すように支持体２に対して、取付部４２を取付板部１３の内面に重ね合わせ、補強部４３を支持板部１４とそれぞれ対向させ、突当部４４を立壁部１８の内面にそれぞれ突き合わせるようにして補強リブ部１５に嵌合される。なお、補強部材４１は、同図（Ａ）に示すように支持体２に対して、固定孔１６や熨斗瓦取付孔１７と対応位置しないようにして組み付けられる。
【００６６】
補強部材４１は、支持体２に対して、取付板部１３の内面に重ね合わせた取付部４２が例えばスポット溶接を施されて一体化されることで、移動したり脱落したりすることは無い。補強部材４１は、図１０（Ｂ）に示すように補強部４３が支持板部１４と対向して取付板部１３と補強リブ部１５との間において筋交い状態で延在するとともに、突当部４４が立壁部１８を裏打ちするようにしてその内面に突き当てられることにより支持体２の補強リブ部１５を補強する。補強部材４１は、支持体２の全長に亘って筋筋状態に組み付けられてこれを補強する。
【００６７】
支持体４０は、上述したように支持体２の内面に複数個の補強部材４１を筋筋状態に組み付けることにより支持体２の支持板部１４における機械的強度の向上が図られる。支持体４０は、補強リブ部１５も補強部材４１により裏打ちされて機械的強度の向上が図られる。したがって、支持体４０は、廉価で取り扱いが簡便な比較的薄厚の金属板素材により形成しても、層構造体４を多層に積層することにより負荷される大きな荷重に対して支持体２の支持板部１４や補強リブ部１５に変形等が生じることは無く、また強風が吹き付けられても飛ばされることが無い強固な棟構造１を施工することが可能である。
【００６８】
補強部材４１は、上述したように補強部４３の先端部に補強リブ部１５の立壁部１８の内面にそれぞれ突き合わされる突当部４４を一体に形成したが、かかる構成に限定されないことは勿論である。補強部材４１は、補強部４３の先端部を補強リブ部１５に突き当てることにより支持板部１４を補強する部材であってもよい。
【００６９】
支持体４０においては、上述したように別部材で形成した複数個の補強部材４１を組み付けて支持体２を補強するようにしたが、本発明はかかる補強構造に限定されないことは勿論である。支持体２は、例えば金属板素材に対して、上述した各部を形成するプレス工程の前工程において、幅方向に多数の凸部を形成するビード形成工程を施し、各凸部が内側に位置するようにして各部の形成工程を施すようにしてもよい。支持体２は、ビード形成工程により形成した各凸部により支持板部１４や補強リブ部１５の機械的強度の向上が図られる。
【符号の説明】
【００７０】
１  棟構造、２  熨斗瓦積層支持体（支持体）、３  熨斗瓦、４  層構造体、５  棟瓦、６  棟木、７  野地板、８  桟木、９  桟瓦、１０  面斗体、１１  面斗構造体、１２  支持体、１３  取付板部、１４  熨斗瓦支持板部（支持板部）、１５  補強リブ部、１６  固定孔、１７  熨斗瓦取付孔、１８  立壁部、１９  受け部、２０  補強壁部、２１  ステンレス釘、２２  取付板、２３ 面斗部、２４  棟空間部、４０  支持体、４１  補強部材
【図１】
2010216124.tif 000003
【図２】
2010216124.tif 000004
【図３】
2010216124.tif 000005
【図４】
2010216124.tif 000006
【図５】
2010216124.tif 000007
【図６】
2010216124.tif 000008
【図７】
2010216124.tif 000009
【図８】
2010216124.tif 000010
【図９】
2010216124.tif 000011
【図１０】
2010216124.tif 000012